(57)【要約】【課題】監視カメラシステムにおけるカメラと監視制御機器類の間の電気的な接続に好適な複合ケーブルを提供する。【解決手段】この複合ケーブル１は、同軸中心導体２１、その周囲を被覆する同軸中間絶縁体層２２、それを外囲するように設けられた同軸外部導体２３、その周囲を被覆する同軸側外方絶縁体層２４、を有する同軸ケーブル部２と、第１電源導体３１、その周囲を被覆する第１電源絶縁体層３２、第２電源導体３３、その周囲を被覆し第１電源絶縁体層３２と並んで配置された第２電源絶縁体層３４、第１電源絶縁体層３２及び第２電源絶縁体層３４の周囲を被覆する電源側外方絶縁体層３５、を有する直流電源ケーブル部３と、を備え、同軸側外方絶縁体層２４と電源側外方絶縁体層３５とは、同一の材料で形成されて一部で連結している。【選択図】図１
0003152567.tif 000002
【実用新案登録請求の範囲】
【請求項１】
同軸中心導体、該同軸中心導体の周囲を被覆する同軸中間絶縁体層、該同軸中間絶縁体層を外囲するように設けられた同軸外部導体、該同軸外部導体の周囲を被覆する同軸側外方絶縁体層、を有する同軸ケーブル部と、
第１電源導体、該第１電源導体の周囲を被覆する第１電源絶縁体層、第２電源導体、該第２電源導体の周囲を被覆し第１電源絶縁体層と並んで配置された第２電源絶縁体層、第１電源絶縁体層及び第２電源絶縁体層の周囲を被覆する電源側外方絶縁体層、を有する直流電源ケーブル部と、を備え、
前記同軸側外方絶縁体層と電源側外方絶縁体層とは、同一の材料で形成されて一部で連結していることを特徴とする複合ケーブル。
【請求項２】
請求項１に記載の複合ケーブルにおいて、
前記同軸外方絶縁体層の断面形状は略円形であり、前記電源側外方絶縁体層の断面形状は長径方向の長辺部と短径方向の円弧状の短辺部を有した略長円形であることを特徴とする複合ケーブル。
【請求項３】
請求項２に記載の複合ケーブルにおいて、
前記電源側外方絶縁体層の断面形状は、前記長辺部の中央近傍が窪んでいることを特徴とする複合ケーブル。
【請求項４】
請求項１〜３のいずれか１項に記載の複合ケーブルにおいて、
前記電源側外方絶縁体層は、前記短辺部で同軸側外方絶縁体層に連結していることを特徴とする複合ケーブル。
【請求項５】
請求項１〜４のいずれか１項に記載の複合ケーブルにおいて、
前記同軸中心導体、第１電源導体、第２電源導体は同一仮想直線上に位置することを特徴とする複合ケーブル。
【考案の詳細な説明】
【技術分野】
【０００１】
本考案は、監視カメラシステムを構築するのに好適な複合ケーブルに関する。
【背景技術】
【０００２】
監視カメラシステムは、交通機関の乗降監視、工場の製造工程監視、危険箇所監視などの安全確保のため、あるいは繁華街監視、街路監視などの防犯のために、現在では広く使用されている。一般的な監視カメラシステムは、図５（ａ）、（ｂ）に示すように、監視する場所を撮影するべく設置されるカメラ５と、それから離れた場所でカメラ５における撮影を含む監視動作を制御する監視制御機器類６を有して成る。監視制御機器類６は、通常、カメラ５に供給する所定の直流電源電圧を生成するカメラ電源装置６１、カメラ５からの映像を記録する記録装置６２、その映像を表示する表示装置６３などが含まれる。カメラ５と監視制御機器類６の間は、長い距離に亘ってそれらの電気的な接続を行うケーブルが敷設されている。
【０００３】
図５（ａ）は、最も一般的に使用されているものであって、カメラ５と監視制御機器類６との間に、映像信号を伝送するための同軸ケーブル２０と、直流電源電圧を印加するための直流電源ケーブル３０とが敷設されており、カメラ５とカメラ電源装置６１とが直流電源ケーブル３０、カメラ５と記録装置６２とが同軸ケーブル２０で接続されている。図５（ｂ）は、カメラ５と監視制御機器類６との間に、具体的にはカメラ５とカメラ電源装置６１との間に、直流電源電圧と映像信号が重畳した信号を伝送するための同軸ケーブル２０Ａが接続され、カメラ電源装置６１と記録装置６２との間に映像信号を伝送する同軸ケーブル２０Ｂが接続されている。図５（ａ）、（ｂ）では１個のカメラ５を用いる場合を図示しているが、多数のカメラ５を用いる監視カメラシステムでは、カメラ５と監視制御機器類６との間のケーブル（同軸ケーブル又は直流電源ケーブル）の数はカメラ５の数だけ必要となる。
【０００４】
なお、建物の中に敷設する通信回線のケーブルについてであるが、敷設作業を容易にするために、複数種類のケーブルを一体にした複合ケーブルを用いることが提案されている。例えば、特許文献１には、住宅用に同軸ケーブルとＵＴＰケーブルを一まとめにした複合ケーブルが記載されており、特許文献２には、ビル用に同軸ケーブルとＬＡＮケーブルを一まとめにした複合ケーブルが記載されている。
【先行技術文献】
【特許文献】
【０００５】
【特許文献１】特開２００１−２０２８３２号公報
【特許文献２】特開２００１−２５０４２６号公報
【考案の概要】
【考案が解決しようとする課題】
【０００６】
図５（ａ）で示した監視カメラシステムでは、カメラ５と監視制御機器類６の間の接続は、直流電源ケーブル３０と同軸ケーブル２０が用いられるため、それら２種類のケーブルを乱雑にならないように一まとめにして長い距離を敷設し施工するのに、大変な手間を要する。図５（ｂ）で示した監視カメラシステムでは、カメラ５と監視制御機器類６の間の接続は、同軸ケーブル２０Ａのみが用いられるが、カメラ５とカメラ電源装置６１には、直流電源電圧と映像信号を予め決められた方式で重畳したりそれを分離したりするインターフェース回路を用いる必要があるので、カメラ５とカメラ電源装置６１の組み合わせの自由度が制約を受けるとともに、それらの価格も高いものとなる。
【０００７】
本願発明者は、昨今の監視カメラシステムの需要増大の傾向から、カメラ５と監視制御機器類６の組み合わせが自由で、しかも、施工が容易であって時間がかからないようにするには、複合ケーブルの考えを用いるべきであると思料し、鋭意研究した。
【０００８】
本考案は、係る事由に鑑みてなされたものであり、その目的は、監視カメラシステムにおけるカメラと監視制御機器類の間の電気的な接続などに好適な複合ケーブルを提供することにある。
【課題を解決するための手段】
【０００９】
上記目的を達成するために、請求項１に記載の複合ケーブルは、同軸中心導体、該同軸中心導体の周囲を被覆する同軸中間絶縁体層、該同軸中間絶縁体層を外囲するように設けられた同軸外部導体、該同軸外部導体の周囲を被覆する同軸側外方絶縁体層、を有する同軸ケーブル部と、第１電源導体、該第１電源導体の周囲を被覆する第１電源絶縁体層、第２電源導体、該第２電源導体の周囲を被覆し第１電源絶縁体層と並んで配置された第２電源絶縁体層、第１電源絶縁体層及び第２電源絶縁体層の周囲を被覆する電源側外方絶縁体層、を有する直流電源ケーブル部と、を備え、前記同軸側外方絶縁体層と電源側外方絶縁体層とは、同一の材料で形成されて一部で連結していることを特徴とする。
【００１０】
請求項２に記載の複合ケーブルは、請求項１に記載の複合ケーブルにおいて、前記同軸外方絶縁体層の断面形状は略円形であり、前記電源側外方絶縁体層の断面形状は長径方向の長辺部と短径方向の円弧状の短辺部を有した略長円形であることを特徴とする。
【００１１】
請求項３に記載の複合ケーブルは、請求項２に記載の複合ケーブルにおいて、前記電源側外方絶縁体層の断面形状は、前記長辺部の中央近傍が窪んでいることを特徴とする。
【００１２】
請求項４に記載の複合ケーブルは、請求項１〜３のいずれか１項に記載の複合ケーブルにおいて、前記電源側外方絶縁体層は、前記短辺部で同軸側外方絶縁体層に連結していることを特徴とする。
【００１３】
請求項５に記載の複合ケーブルは、請求項１〜４のいずれか１項に記載の複合ケーブルにおいて、前記同軸中心導体、第１電源導体、第２電源導体は同一仮想直線上に位置することを特徴とする。
【考案の効果】
【００１４】
本考案に係る複合ケーブルによれば、同軸ケーブル部と直流電源ケーブル部が一部で連結しているので、敷設し易く、カメラや監視制御機器類との接続に際しては同軸ケーブル部と直流電源ケーブル部が簡単に分離することができ、よってカメラと監視制御機器類の間の電気的な接続のための施工が容易になる。
【図面の簡単な説明】
【００１５】
【図１】本考案の実施形態に係る複合ケーブル１の断面図である。
【図２】同上の複合ケーブル１において直流電源ケーブル部３の長辺部３ａ、３ｃを変形した断面図である。
【図３】同上の複合ケーブル１において同軸ケーブル部２と直流電源ケーブル部３の連結箇所を変形した断面図である。
【図４】同上の複合ケーブル１とカメラ５の接続例を示す、カメラ５の裏面方向からの斜視図である。
【図５】一般的な監視カメラシステムのブロック図である。
【考案を実施するための形態】
【００１６】
以下、本考案を実施するための好ましい形態を図面を参照しながら説明する。本考案の実施形態に係る複合ケーブル１は、図１に示すように、映像信号などの高周波の信号を伝送するための同軸ケーブル部２と、直流電源電圧を印加するための直流電源ケーブル部３を備え、それらが一部で連結している。
【００１７】
同軸ケーブル部２は、直流電源ケーブル部３との連結箇所以外は、通常の同軸ケーブルと同様である。すなわち、その中心に同軸中心導体２１を有し、その同軸中心導体２１の周囲を被覆する同軸中間絶縁体層２２、その同軸中間絶縁体層２２を外囲するように設けられた同軸外部導体２３、その同軸外部導体２３の周囲を被覆する同軸側外方絶縁体層２４を有している。同軸中心導体２１と同軸外部導体２３は、導電体であって、多数の細線（例えば、軟銅線）から形成されている。同軸中間絶縁体層２２と同軸側外方絶縁体層２４は、絶縁体であって、例えば、同軸中間絶縁体層２２がポリエチレン製、同軸側外方絶縁体層２４が塩化ビニル製である。同軸ケーブル部２の断面形状は、その外郭を形成する同軸側外方絶縁体層２４が略円形であり、その直径Ｄ０が例えば、約５．５ｍｍである。
【００１８】
直流電源ケーブル部３は、第１電源導体３１、その第１電源導体３１の周囲を被覆する第１電源絶縁体層３２、第２電源導体３３、その第２電源導体３３の周囲を被覆する第２電源絶縁体層３４を有している。第１電源導体３１を含んだ第１電源絶縁体層３２と第２電源導体３３を含んだ第２電源絶縁体層３４は、略同一の大きさであり、並んで配置されている。直流電源ケーブル部３は更に、第１電源絶縁体層３２と第２電源絶縁体層３４の周囲を被覆する電源側外方絶縁体層３５を有する。第１電源導体３１と第２電源導体３３は、導電体であって、多数の細線（例えば、軟銅線）から形成されている。第１電源絶縁体層３２、第２電源絶縁体層３４、電源側外方絶縁体層３５は、絶縁体であって、例えば、第１電源絶縁体層３２と第２電源絶縁体層３４がポリエチレン製、電源側外方絶縁体層３５が塩化ビニル製である。
【００１９】
直流電源ケーブル部３の断面形状は、その外郭を形成する電源側外方絶縁体層３５が略長円形である。ここで言う略長円形とは、長方形の両短辺を丸くした形、すなわち、長径Ｄ１方向の互いに略平行な長辺部３ａ、３ｃと、それと略垂直方向（短径Ｄ２方向）の円弧状の短辺部３ｂ、３ｄを有するもので、陸上競技におけるトラックのような形状をなすものである。長辺部３ａ、３ｃは直線状であって、第１電源導体３１と第２電源導体３３を結ぶ仮想直線と略平行である。直線状とは、直線又は曲率が短辺部３ａ、３ｃよりも小さく直線に近いものをいう。長辺部３ａ、３ｃは、端末処理の際に分離作業がし易いよう図２に示すように中央近傍３ｅ、３ｅが窪んでいたり、その他に若干の凹凸があったりしてもよい。円弧状とは、円弧又は円弧に近いものをいう。直流電源ケーブル部３の大きさは、例えば、長径Ｄ１が約４．５ｍｍ、短径Ｄ２が約３ｍｍである。
【００２０】
同軸ケーブル部２と直流電源ケーブル部３は、同軸側外方絶縁体層２４と電源側外方絶縁体層３５の一部で連結している。一部で連結している状態とは、作業者が同軸ケーブル部２と直流電源ケーブル部３を掴んで互いに引き離す方向に一定の力を加えた場合、同軸ケーブル部２と直流電源ケーブル部３とが分離させられる程度の連結状態をいう。また、同軸側外方絶縁体層２４と電源側外方絶縁体層３５は、同一の材料からなるものであり、樹脂を硬化させることによって同時に形成する。より詳しくは、複合ケーブル１の製造ラインにおいて、ケーブル状態の３本、すなわち、同軸中心導体２１と同軸中間絶縁体層２２を含んだ同軸外部導体２３、第１電源導体３１を含んだ第１電源絶縁体層３２、第２電源導体３３を含んだ第２電源絶縁体層３４、を金型の中に通し、溶融した樹脂を金型に注入した後に硬化させる。なお、この樹脂（例えば、塩化ビニル）よりも同軸中間絶縁体層２２、第１電源絶縁体層３２、第２電源絶縁体層３４を形成する樹脂（例えば、ポリエチレン）の融点が高いとそれらの形状は歪むことはない。また、第１電源絶縁体層３２と第２電源絶縁体層３４との中間と電源側外方絶縁体層３５の間には、樹脂が詰まっていない小空間３ｆ、３ｆが残存する場合がある。
【００２１】
電源側外方絶縁体層３５の同軸側外方絶縁体層２４と連結する箇所は、同軸ケーブル部２側の短辺部３ｂの一部（中央部分）である。図１に示すように電源側外方絶縁体層３５と同軸側外方絶縁体層２４が直接接触するようにしてもよいし、電源側外方絶縁体層３５と同軸側外方絶縁体層２４の間に、図３に示すような断面形状が略長方形の連結部４を設けてもよい。なお、同軸中心導体２１、第１電源導体３１、第２電源導体３３は同一仮想直線上に位置する。
【００２２】
複合ケーブル１は、例えば、上記の図５（ａ）の監視カメラシステムなどに使用することができる。複合ケーブル１をカメラ５に接続するため、同軸ケーブル部２と直流電源ケーブル部３を分離し、更に直流電源ケーブル部３の第１電源導体３１を含んだ第１電源絶縁体層３２と第２電源導体３３を含んだ第２電源絶縁体層３４を分離して、各々、端末処理をする。そして、図４に示すように、同軸ケーブル部２をカメラ５の映像出力端子に、直流電源ケーブル部３を直流電源入力端子に接続する。それから、監視制御機器類６までの長い距離にわたり複合ケーブル１の敷設を行う。監視制御機器類６内では、カメラ５に接続するときと同様にして端末処理をし、同軸ケーブル部２を記録装置６２の映像入力端子に、直流電源ケーブル部３をカメラ電源装置６１の直流電源出力端子に接続する。なお、これらの施工の細かな順序は任意に変更できる。
【００２３】
複合ケーブル１は、単一のケーブルであるので、カメラ２と監視制御機器類６の間のように長い距離の敷設作業が非常に容易である。なお、直流電源ケーブル部３が伝達するのは直流電源電圧であって時間的に変化せず、監視カメラシステムでの使用の場合のように長い距離であっても、同軸ケーブル部２の高周波の信号と直流電源ケーブル部３の直流電源電圧が相互に特性に影響を及ぼすことはない。
【００２４】
また、直流電源ケーブル部３の円弧状の短辺部３ｂが同軸ケーブル部２と連結し、同軸中心導体２１、第１電源導体３１、第２電源導体３３が同一仮想直線上に位置するので、複合ケーブル１が平型になり、一方向（直流電源ケーブル部３の短径Ｄ２の方向）にしかケーブルのくせが付き難い。そのため、巻いて束ね易く、ケーブルのねじれを少なくして敷設作業ができる。また、端末処理のために同軸ケーブル部２と直流電源ケーブル部３を分離する際には、両長辺部３ａ、３ｃを指で挟むことで保持し易く、同軸ケーブル部２と直流電源ケーブル部３の連結箇所近傍が互いに円弧状なので、それらの分離作業によって連結箇所近傍が不必要に剥ぎ取られるのが抑制される。
【００２５】
また、複合ケーブル１は、同軸側外方絶縁体層２４と電源側外方絶縁体層３５を、樹脂を金型に注入し硬化させることによって形成しているので、同軸側外方絶縁体層２４と同軸外部導体２３、電源側外方絶縁体層３５と第１電源絶縁体層３２、電源側外方絶縁体層３５と第２電源絶縁体層３４、が良く密着しているので、端末処理時の整線作業においてしごいても、同軸側外方絶縁体層２４から同軸外部導体２３がずれたり、電源側外方絶縁体層３５から第１電源絶縁体層３２がずれたり、電源側外方絶縁体層３５から第２電源絶縁体層３４がずれたりすることはない。あるいは、複合ケーブル１を短く切って使用した場合に、同軸側外方絶縁体層２４から同軸外部導体２３が抜け落ちたり、電源側外方絶縁体層３５から第１電源絶縁体層３２が抜け落ちたり、電源側外方絶縁体層３５から第２電源絶縁体層３４が抜け落ちたりすることはない。
【００２６】
以上、本考案の実施形態に係る複合ケーブル１について説明したが、本考案は、上述の実施形態に記載したものに限られることなく、実用新案登録請求の範囲に記載した事項の範囲内でのさまざまな設計変更が可能である。例えば、上記のように、直流電源ケーブル部３（電源側外方絶縁体層３５）の短辺部３ｂで同軸ケーブル部２（同軸側外方絶縁体層２４）と連結するのが好ましいのであるが、特別な形状の制限を受けるときなどは、直流電源ケーブル部３の長辺部３ａで同軸ケーブル部２と連結することも可能である。また、実施形態に記載した材料や大きさは、適宜、使用の目的に合致させるべきことは勿論である。また、この複合ケーブル１は、監視カメラシステムだけの使用に限られないことは言うまでもないことである。
【符号の説明】
【００２７】
１    複合ケーブル
２    同軸ケーブル部
２１  同軸中心導体
２２  同軸中間絶縁体層
２３  同軸外部導体
２４  同軸側外方絶縁体層
３    直流電源ケーブル部
３１  第１電源導体
３２  第１電源絶縁体層
３３  第２電源導体
３４  第２電源絶縁体層
３５  電源側外方絶縁体層
３ａ、３ｃ  電源側外方絶縁体層の長辺部
３ｂ、３ｄ  電源側外方絶縁体層の短辺部
Ｄ１  直流電源ケーブル部の長径
Ｄ２  直流電源ケーブル部の短径
【図１】
0003152567.tif 000003
【図２】
0003152567.tif 000004
【図３】
0003152567.tif 000005
【図４】
0003152567.tif 000006
【図５】
0003152567.tif 000007
【手続補正書】
【提出日】平成21年6月2日(2009.6.2)
【手続補正１】
【補正対象書類名】実用新案登録請求の範囲
【補正対象項目名】全文
【補正方法】変更
【補正の内容】
【実用新案登録請求の範囲】
【請求項１】
同軸中心導体、該同軸中心導体の周囲を被覆する同軸中間絶縁体層、該同軸中間絶縁体層を外囲するように設けられた同軸外部導体、該同軸外部導体の周囲を被覆する同軸側外方絶縁体層、を有する同軸ケーブル部と、
第１電源導体、該第１電源導体の周囲を被覆する第１電源絶縁体層、第２電源導体、該第２電源導体の周囲を被覆し第１電源絶縁体層と並んで配置された第２電源絶縁体層、第１電源絶縁体層及び第２電源絶縁体層の周囲を被覆する電源側外方絶縁体層、を有する直流電源ケーブル部と、を備え、
前記同軸側外方絶縁体層と電源側外方絶縁体層とは、同一の材料で形成されて一部で連結していることを特徴とする複合ケーブル。
【請求項２】
請求項１に記載の複合ケーブルにおいて、
前記同軸外方絶縁体層の断面形状は略円形であり、前記電源側外方絶縁体層の断面形状は長径方向の長辺部と短径方向の円弧状の短辺部を有した略長円形であることを特徴とする複合ケーブル。
【請求項３】
請求項２に記載の複合ケーブルにおいて、
前記電源側外方絶縁体層の断面形状は、前記長辺部の中央近傍が窪んでいることを特徴とする複合ケーブル。
【請求項４】
請求項２又は３に記載の複合ケーブルにおいて、
前記電源側外方絶縁体層は、前記短辺部で同軸側外方絶縁体層に連結していることを特徴とする複合ケーブル。
【請求項５】
請求項１〜４のいずれか１項に記載の複合ケーブルにおいて、
前記同軸中心導体、第１電源導体、第２電源導体は同一仮想直線上に位置することを特徴とする複合ケーブル。
【手続補正２】
【補正対象書類名】明細書
【補正対象項目名】００１２
【補正方法】変更
【補正の内容】
【００１２】
請求項４に記載の複合ケーブルは、請求項２又は３に記載の複合ケーブルにおいて、前記電源側外方絶縁体層は、前記短辺部で同軸側外方絶縁体層に連結していることを特徴とする。